(57)【特許請求の範囲】
【請求項１】
液体を密閉して収容した可撓性ある液体弾と、前記液体弾を交換可能に収容し収容した前記液体弾に収容された液体を射出する液体銃とを有する液体銃システムであって、
前記液体銃は、
前記液体弾を交換可能に収容すると共に、液体を射出する射出口を有する銃腔と、
液体発射時に操作される操作部と、
操作部の操作に応答して、銃腔に装着された液体弾を押圧変形して、前記液体弾に収容された液体を加圧する押圧機構と、
前記押圧機構によって変形され、収容している液体が加圧された前記液体弾の密閉を破壊する密閉破壊手段とを有し、
前記密閉破壊手段による密閉の破壊に伴い、前記液体弾を銃腔に残したまま、前記液体弾に収容された液体が前記射出口より射出されることを特徴とする液体銃。
【請求項２】
液体を収容した液体弾と、前記液体弾を交換可能に収容し収容した前記液体弾に収容された液体を射出する液体銃とを有する液体銃システムであって、
前記液体弾は、
中空の筒体と、
前記筒体の一方の底面を密閉性をもって閉じる、弾性を有する膜と、
前記筒体の他方の底面を密閉性を持って閉じる密閉部と、
前記筒体と膜と密閉部材で密閉された空間に収容された液体とを有し、
前記密閉部は、前記筒体内周に摺接したピストン部を有し、
当該ピストン部は、外部より前記一方の底面方向に所定レベル以上の力が加わったときに、前記筒体内部を、外部より前記一方の底面方向に加わる力に応じて、前記一方の底面方向に移動し、
前記液体銃は、
前記液体弾を交換可能に装着する銃腔と、
液体発射時に操作される操作部と、
前記操作部の操作に応答して、銃腔に装着された液体弾のピストン部を前記一方の底面方向に押圧する押圧機構と、
前記膜が前方に所定量膨らんだときに、当該膜を強制的に破断する破断手段とを有し、
前記銃腔は、装着された液体弾の前記膜の前方に設けられた小孔を有することを特徴とする液体銃システム。
【請求項３】
請求項１記載の液体銃システムであって、
前記液体弾は、中空の蛇腹体と、当該蛇腹体の両端を各々密閉する二つの底面とを有し、
前記筒体と二つの底面で密閉された空間に収容された液体とを有することを特徴とする液体銃システム。
【発明の詳細な説明】
【０００１】
【発明の属する技術分野】
【０００２】
本発明は、その追跡、発見等を容易化するために、犯罪者等に塗料を付着せしめる技術に関するものである。
【０００３】
【従来の技術】
【０００４】
その追跡、発見等を容易化するために、犯罪者等に塗料を付着せしめる機器としては、塗料を収容すると共に、衝突による衝撃によって容易に破裂するように構成されたボールが知られている。
【０００５】
【発明が解決しようとする課題】
【０００６】
さて、このような塗料を収容したボールによれば、強盗等のを成した犯罪者やその着衣や逃走に使用された車両に、ボールを投げつけて命中させることにより、犯罪者等との衝突によって破裂したボールに収容されていた塗料を犯罪者等に付着せしめ、その後の、追跡や発見を容易化することができる。
【０００７】
しかしながら、実際は、投球技術に熟練したものでなければ、前記ボールを、自身に危害が及ぼされないように遠くから犯罪者等に命中させることは困難である。したがって、犯罪者等に塗料を付着することができないばかりか、誤って無関係の機器等に命中させ、これを損壊してしまうようなこともある。
【０００８】
また、前記ボールは、犯罪者等との衝突による衝撃によって破裂するように構成されている必要があるところ、実際は、投球者によって、その投球スピードや投球法が異なり、また、標的が人間か車両によっても衝突によってボールに加わる衝撃も異なるので、ボールの破裂し易さをどのように設定しても、投球時に加わる力で破裂してしまったり、犯罪者等に命中しても破裂しなかったりするなどの問題が生じ易い。
【０００９】
そこで、本発明は、容易、確実に標的とする者に塗料を付着せしめることができる機器を提供することを課題とする。
【００１０】
【課題を解決するための手段】
【００１１】
前記課題達成のために本発明は、たとえば、液体を射出する液体銃であって、
【００１２】
液体を密閉収容した液体弾を交換可能に収容すると共に、液体を射出する射出口を有する銃腔と、
【００１３】
操作部と、
【００１４】
前記操作部の操作に応答して、銃腔に装着された液体弾を押圧し加圧変形、または、移動及び加圧変形する押圧機構とを有し、
【００１５】
前記押圧機構による加圧変形、または、移動及び加圧変形に伴い前記液体弾の密閉は破壊され、前記液体弾に収容された液体が前記射出口より射出されることを特徴とする第１の液体銃を提供する。
【００１６】
このような第１の液体銃によれば、押圧機構によって加圧変形、または、移動及び加圧変形した液体弾は、密閉性が破壊され液体を解放する。すると、この時点で外気圧に比べ高圧力をなっている液体は、射出口より勢い良く射出される。
【００１７】
したがって、特段の技術を必要とすることなく、標的を狙い、操作部を操作するだけで、遠くにいる標的に液体、たとえば、塗料をを浴びせかけることができる。また、塗料を収容した従来のボールのような固形物ではなく、液体を射出するので、これによって無関係な機器等を損壊することも少ない。
【００１８】
また、前記課題達成のために、本発明は、たとえば、中空の筒体と、
【００１９】
前記筒体の一方の底面を密閉性をもって閉じる、弾性を有する膜と、
【００２０】
前記筒体の他方の底面を密閉性を持って閉じる密閉部と、
【００２１】
前記筒体と膜と密閉部材で密閉された空間に収容された液体と、
【００２２】
前記密閉部は、前記筒体内周に摺接したピストン部を有し、
【００２３】
当該ピストン部は、外部より前記一方の底面方向に所定レベル以上の力が加わったときに、前記筒体内部を、外部より前記一方の底面方向に加わる力に応じて、前記一方の底面方向に移動することを特徴とする第２の液体弾を提供する。
【００２４】
また、本発明は、前記課題達成のために、以上のような液体弾に収容された液体を発射する機器として、前記液体弾を交換可能に装着する銃腔と、
【００２５】
操作部と、
【００２６】
前記操作部の操作に応答して、銃腔に装着された液体弾のピストン部を前記一方の底面方向に押圧する押圧機構とを有し、
【００２７】
前記銃腔は、装着された液体弾の前記膜の前方に設けられた小孔を有することを特徴とする第２の液体銃を提供する。
【００２８】
ここで、この第２の液体銃は、
【００２９】
前記膜が前方に所定量膨らんだときに、当該膜を強制的に破断する破断手段を備えるようにしてもよい。
【００３０】
このような第２の液体弾と、たとえば、第２の液体銃によれば、押圧機構によって押圧されたピストン部は、前記筒体内部を、前記一方の底面方向に移動し、液体弾に収容された液体の圧力を増加する。すると前記膜は、前方に膨らみ、やがて破断して、液体を解放する。すると、この時点で外気圧に比べ高圧力をなっている液体は、外部に通じる孔より勢い良く射出される。
【００３１】
したがって、やはり、特段の技術を必要とすることなく、標的を狙い、操作部を操作するだけで、遠くにいる標的に液体、たとえば、塗料をを浴びせかけることができる。また、塗料を収容した従来のボールのような固形物ではなく、液体を射出するので、これによって無関係な機器等を損壊することも少ない。
【００３２】
また、押圧機構の押圧力のみならず、弾性を有する膜によって、液体を高圧化する構造としているの、押圧力のみを使用する場合よりも液体の射出の勢いを高めることができる。
【００３３】
また、本発明は、前記課題達成のために、液体を射出する液体銃であって、
【００３４】
液体を内部空間に密閉収容した液体弾を交換可能に収容する銃腔と、
【００３５】
操作部と、
【００３６】
前記操作部の操作に応答して、銃腔に装着された液体弾を前記射出口方向に押圧する押圧機構とを有し、
【００３７】
前記銃腔には前記収容した液体弾方向に突出した、管形状の、液体を射出する前記管形状内部が連結した針部が設けられ、
【００３８】
前記針部は、前記押圧機構の押圧による液体弾の移動、衝突によって、前記液体弾の前記内部空間中に挿入され、前記液体は、前記押圧機構の押圧による液体弾の変形によって加圧され、挿入された針部の前記管形状内部を通って前記射出口より射出されることを特徴とする第３の液体銃を提供する。
【００３９】
また、このような第３の液体銃に適した液体弾として、中空の蛇腹体と、当該蛇腹体の両端を各々密閉する二つの底面とを有し
【００４０】
前記筒体と二つの底面で密閉された空間に収容された液体とを有することを特徴とする第３の液体弾を提供する。
【００４１】
このような第３の液体弾と、たとえば、第３の液体銃によれば、前記針部は、前記押圧機構の押圧による液体弾の移動、衝突によって、前記液体弾の前記内部空間中に挿入され、前記液体は、前記押圧機構の押圧による液体弾の変形によって加圧され、挿入された針部の前記管形状内部を通って前記射出口より勢いよく射出される。
【００４２】
したがって、やはり、特段の技術を必要とすることなく、標的を狙い、操作部を操作するだけで、遠くにいる標的に液体、たとえば、塗料をを浴びせかけることができる。また、塗料を収容した従来のボールのような固形物ではなく、液体を射出するので、これによって無関係な機器等を損壊することも少ない。
【００４３】
【発明の実施の形態】
【００４４】
以下、本発明の実施形態について説明する。
【００４５】
まず、第１の実施形態について説明する。
【００４６】
図１に、本第１実施形態に係る塗料銃と、塗料弾の構造を模式的に示す。
【００４７】
図中、１００が塗料弾、２００が塗料銃を表す。ここで、塗料弾１００は交換可能に、塗料銃２００に装着されて使用される。
【００４８】
まず、この塗料弾１００について説明する。
【００４９】
図２ａに塗料弾１０の外観を、図２ｂに塗料弾２００の模式的構造を示す。
【００５０】
図示するように、塗料弾２００は、ほぼ中空の円筒形の形状を有しており、円筒形状の側面を形成するシリンダ１１０の一方の底面は、合成ゴムなどの弾性材料による弾性膜１１５で密閉されている。また、シリンダ１１０の内側をスライド可能に設けたピストン１２０を有している。ピストン１２０は、シール材１３０によってシリンダ１１０の、弾性膜１１５と逆側に、比較的弱い接着力をもって、シンリダ１１０、弾性膜１１５、ピストン１２０で囲まれた空間を密封するように固着されている。そして、このシンリダ１１０、弾性膜１１５、ピストン１２０で密封された空間には、色付きの塗料１５０が充填されている。
【００５１】
さて、図１に戻り、このような塗料弾１００は、図示するように塗料銃２００内に装着される。
【００５２】
塗料銃２００は、図示するように、蓋部２０１、銃腔部２１０、握り部２０２、引き金部２０３、押圧ヘッド２０４、スプリング２０５、スプリング２０９とを有する。
【００５３】
また、銃腔部２１０は、その先端に設けた小さな孔である射出口２１１と、先端やや内側に設けた針部２１２と、銃腔部２１０内外で塗料弾１００を出し入れするための蓋部２１３と、後述する付勢棒を装着するための穴２１４を有している。
【００５４】
また、押圧ヘッド２０４はスプリング２０５先端に固着されている。また、押圧ヘッド２０４と引き金部２０３には、図示するようにスプリング２０５を縮めた状態において引き金部２０３の操作によって解放可能に、相互に係合するための係止部２０７、２０８を有している。また、引き金部２０３は、スプリング２０９によって引き金部２０３下部が握り部２０２と反対方向に向かう方向に付勢されている。
【００５５】
さて、図１に示す状態は、塗料の発射準備が整っている状態を示している。以下、この状態から塗料の発射までの動作について説明する。
【００５６】
使用時、使用者は握り部２０２を握り、射出口２１１を標的に向けて、引き金部２０３を引く。そうすると、図３に示すように、押圧ヘッド２０４と引き金部２０３の係合は解放され、縮んだ状態にあったスプリング２０５は付勢力を持って伸び、押圧ヘッド２０４を移動させ、塗料弾１００のピストン１２０に衝突させる。
【００５７】
すると、この衝突によって、シール材１３０によるピストン１２０とシリンダ１１０の弱い接着力による固着状態は破壊され、ピストン１２０はシリンダ１１０中を、外部から加えられる力に応じてスライドするようになる。
【００５８】
スプリング２０５は、押圧ヘッド２０４を、塗料弾１００のピストン１２０に衝突させた後も伸び続け、ピストン１２０をシリンダ１１０中を弾性膜１１５方向に移動させる。すると、これに伴い、塗料１５０の圧力が増し、この圧力によって、弾性膜１１５は、射出口２１１方向に膨らんでいく。
【００５９】
やがて、弾性膜１１５が膨らんでいき、針部２１２に接すると、弾性膜１１５は破断し、これによって解放された、その時点で大気圧よりも高圧力となっている塗料１５０は、射出口２１１より標的に向かって勢い良く射出される。そして、やがて、スプリング２０５が伸びきり、大気圧と圧力が同じとなると、塗料１５０の射出が収まる。なお、このように針部２１２によって、弾性膜１１５を強制的に破断させるのは、破断した弾性膜１１５によって射出口２１１が塞がれたりすることの無いように、弾性膜１１５の破断位置を制御するためでもまる。
【００６０】
さて、次に、このように塗料を発射した後に、次回の発射に備えて、塗料の発射準備を整えるときの動作について説明する。
【００６１】
まず、穴２１４より付勢棒２０６を差し込み、押圧ヘッド２０４に取り付ける。この取付は、たとえば、付勢棒２０６に雄ねじを押圧ヘッド２０４に雌ねじを設け、付勢棒２０６を押圧ヘッド２０４にねじ込むことにより行う。さて、付勢棒２０６を取り付けたならば、次に、付勢棒２０６を外部より引っ張り、図中破線で示すようにスプリング２０５を縮める。そして、図１に示した状態までスプリング２０５を縮め、付勢棒２０６に力を加えるのを止めると、押圧ヘッド２０４と引き金部２０３は再度係合する。そこで、付勢棒２０６を押圧ヘッド２０４より取り外す。そして、次に、図中破線で示すように、蓋部２１３を開いて、使用済みの塗料断１００を外部に取り出し、代わりに未使用の塗料断１００を装着し、蓋部２１３を閉める。
【００６２】
これで、図１に示した状態となり、次回の発射の準備が整う。
【００６３】
以上、本発明の第１実施形態について説明した。
【００６４】
以上のように、本第１実施形態に係る塗料弾１００と塗料銃２００によれば、特段の技術を必要とすることなく、標的を狙い、引き金部２０３を引くだけで、遠くにいる標的に塗料を浴びせかけることができる。また、塗料を収容した従来のボールのような固形物ではなく、塗料自体を射出するので、これによって無関係な機器等を損壊することも少ない。もちろん、標的となった犯罪者等にも、無用の傷害を与えることもない。
【００６５】
また、ピストン１２０の押圧力（以上では、スプリング２０５の力）のみならず、弾性膜１１５の使用によって、塗料を大きく高圧化する構造としているの、ピストン１２０の押圧力のみを使用する場合よりも塗料の射出の勢いを高め、塗料の到達距離や、射出された塗料の直進性を向上させることができる。また、塗料の射出の勢いを弾性膜１１５の素材の選択や、針部２１２で強制的に弾性膜１１５を強制的に破断する位置の選択、設定によって比較的容易に制御することができる。
【００６６】
また、塗料弾１００の形態で、塗料をカプセル化しているので、取り扱いが容易である。また、その気密性より塗料の経時劣化も少ない。
【００６７】
ところで、本第１実施形態は、針部２１２に代えて、弾性膜１１５が所定量膨らんだときに強制的に、弾性膜１１５を破断する任意の破断機構を備えるようにしてもよいし、弾性膜１１５自身を弾性膜１１５が所定量膨らんだときに破断する素材によって構成するようにしてもかまわない。
【００６８】
また、以上では、ピストン１２０を押圧する力として、スプリング２０５の付勢力を用いたが、これは他の力を用いるようにしてもかまわない。たとえば、図４に示すように高圧ガスを封入したガスボンベ３００を、塗料銃２００内に交換可能に装着し、ガスボンベ３００の噴出口３０１を、引き金２０３の操作によって解放するようにすることにより、この高圧ガスの力をピストン１２０を押圧する力として用いるようにしてもよい。
【００６９】
以下、本発明の第２の実施形態について説明する。
【００７０】
図５に、本第２施形態に係る塗料銃と、塗料弾の構造を模式的に示す。
【００７１】
図中、４００が塗料弾、５００が塗料銃を表す。ここで、塗料弾４００は交換可能に、塗料銃５００に装着されて使用される。
【００７２】
まず、この塗料弾４００について説明する。
【００７３】
図６ａに塗料弾１０の外観を、図６ｂに塗料弾２００の模式的構造を示す。
【００７４】
図示するように、塗料弾４００は、その円筒の側面に伸縮可能な蛇腹構造を備えた概略円筒形の中空形状を有している。また、塗料弾４００の一方の底面には、経方向に突出した耳部４０１が設けられている。そして、この塗料弾４００内部の密封された空間には、色付きの塗料４５０が充填されている。
【００７５】
塗料弾４００の素材としては、比較的柔性を有する例えば化学樹脂などを用いる。
【００７６】
さて、図１に戻り、このような塗料弾１００は、図示するように塗料銃５００内に装着される。
【００７７】
塗料銃２００は、前記第１実施形態と同様に、蓋部２０１、銃腔部２１０、握り部２０２、引き金部２０３、押圧ヘッド２０４、スプリング２０５、スプリング２０９、蓋部２１３、前述した付勢棒を装着するための穴２１４とを有する。
【００７８】
また、銃腔部２１０は、射出口５２１と銃腔部２１０内部を連結する中空の内部通路を有する針部５２０を、その先端部分に有している。また、針部５２０の塗料弾４００側の端部は鋭利な形状となっている。
【００７９】
また、銃腔部２１０には、装着された塗料弾４００の耳部４０１を係止するためのスリット５３０を有し、このスリット５３０で塗料弾４００の軸方向の自由移動を抑止するようになっている。
【００８０】
さて、図５に示す状態は、塗料の発射準備が整っている状態を示している。以下、この状態から塗料の発射までの動作について説明する。
【００８１】
使用時、使用者は握り部２０２を握り、射出口５２１を標的に向けて、引き金部２０３を引く。そうすると、図７に示すように、押圧ヘッド２０４と引き金部２０３の係合は解放され、縮んだ状態にあったスプリング２０５は付勢力を持って伸び、押圧ヘッド２０４を移動させ、塗料弾４００に衝突させる。
【００８２】
すると、この衝突によって、耳部４０１は後方に捻れてスリット５３０から抜けだし、塗料弾４００は前方に移動し、やがて針部５２０に衝突する。
【００８３】
そうすると針部５２０は、塗料弾４００の耳部４０１が設けられた側と反対側の底面を突き破って塗料弾４００内部に突入する。一方、塗料弾４００は、押圧ヘッド２０４によって押されながら、そのまま前方へ移動を続け耳部４０１が設けられた側と反対側の底面が銃腔部２１０の前方の内壁に衝突し、その後、塗料弾４００の蛇腹構造は顕著に縮んで内部の塗料の圧力が増していく。
【００８４】
さて、以上の動作において針部５２０が塗料弾４００内部に突入すると、塗料弾４００内部の塗料４５０は、少なくとも銃腔部２１０の前方の内壁に衝突した後は大気圧より高圧となっているので、針部５２内部の通路を通って、射出口５２１より標的に向かって勢い良く射出される。そして、やがて、スプリング２０５が伸びきり、大気圧と塗料４５０の圧力が同じとなると、塗料１５０の射出が収まる。
【００８５】
なお、このように塗料を発射した後に、次回の発射に備えて、塗料の発射準備を整えるときの動作は、前記第１実施形態と同様である。
【００８６】
以上、本発明の第２実施形態について説明した。
【００８７】
ここで、以上の第２実施形態では、非使用時に塗料弾４００の針部５２０方向への自由移動を抑止する機構として、耳部４０１とスリット５３０による機構を用いたが、これに代えて引き金部２０３の操作に連動して塗料弾４００の針部５２０方向への抑止を解除するような機構を設けるようにしてもよい。
【００８８】
また、以上の第２実施形態では、塗料弾４００を塗料弾４００が収縮し易いように側面に蛇腹構造を設けた構造としたが、塗料弾４００を、たとえばゴム、ビニール等の外力に応じて変形可能な素材を用いて形成した場合には、このような蛇腹構造は必ずしも必要ではない。
【００８９】
なお、本第２実施形態においても前記第１実施形態と同様に、ピストン１２０を押圧する力として、スプリング２０５の付勢力に代えて、図４に示したようなガスボンベ３００による高圧ガスの力をピストン１２０を押圧する力として用いるようにしてもよい。
【００９０】
また、以上の各実施形態では、塗料銃２００を１連発、すなわち、一つの塗料弾１００／４００の塗料の発射の度に塗料弾１００／４００を交換する必要のあるものとして説明したが、塗料銃２００は、複数の塗料弾１００／４００を装着し、順次各塗料弾の塗料を発射できる多連発のものとしてかまわない。たとえば、２つの塗料弾１００／４００を装着し、引き金の引き角度に応じて、順次、各塗料弾１００／４００の塗料をそれぞれ以上のようにして発射するように構成してもよい。
【００９１】
また、塗料１５０／４５０に代えて、臭いのある液体や、その他の任意の液体を塗料弾に収容して用いるようにしてもかまわない。
【００９２】
また、塗料弾１００／４００は、以上に示したような塗料銃２００のような銃形式の装置のみならず、以上のような塗料弾１００／４００から塗料を射出させる任意の機構を備えた任意の装置における塗料の射出に用いてかまわない。
【００９３】
【発明の効果】
【００９４】
以上のように、本発明によれば、容易、確実に標的とする者に塗料を付着せしめることができる機器を提供することができる。
【００９５】
【図面の簡単な説明】
【００９６】
【図１】本発明の第１実施形態に係る塗料弾と塗料銃の構造を模式的に示した図である。
【００９７】
【図２】本発明の第１実施形態に係る塗料弾の外観と模式的構造を示した図である。
【図３】本発明の第１実施形態に係る塗料弾と塗料銃の動作を示す図である。
【図４】本発明の第１実施形態に係る塗料弾と塗料銃の、他の構造例を模式的に示した図である。
【図５】本発明の第２実施形態に係る塗料弾と塗料銃の構造を模式的に示した図である。
【図６】本発明の第２実施形態に係る塗料弾の外観と模式的構造を示した図である。
【図７】本発明の第２実施形態に係る塗料弾と塗料銃の動作を示す図である。
【符号の説明】
１００；塗料弾、１１０；シリンダ、１１５；弾性膜、１２０；ピストン、１３０；シール材、１５０；塗料、２００；塗料弾、２０１；蓋部、２０２；握り部、２０３；引き金部、２０４；押圧ヘッド、２０５；スプリング、２０９；スプリング、２１０；銃腔部、２１１；射出口、２１２；針部、２１３；蓋部、２０６；付勢棒、２１４；穴、４００；ガスボンベ、４００；塗料弾、４０１；耳部、４５０；塗料、５２０；針部、５２１；射出口、５３０；スリット
【図１】
0003626422.tif 000002
【図２】
0003626422.tif 000003
【図３】
0003626422.tif 000004
【図４】
0003626422.tif 000005
【図５】
0003626422.tif 000006
【図６】
0003626422.tif 000007
【図７】
0003626422.tif 000008